(57)【要約】【課題】  簡単な構造で、身体表面に身体の長手方向に対して交差する方向に力を加え、着用者の運動フォームを矯正し、傷害を予防する被服を提供する。【解決手段】  伸縮性を有する生地で作られ体表面に密着して着用され、着用する身体の長手方向に対して所定方向の螺旋形に形成された基準線である縫い目１８を備える。被服を着用し、縫い目１８を身体の着用部分の長手方向に対してほぼ平行になるように生地を捻ると、それにより生じる捻りと反対方向に生地が戻ろうとする力が体表面に働く。この捻り力が、体表面に作用してフォームを矯正し身体を保護する。【選択図】図１
2006057207.tif 000002
【特許請求の範囲】
【請求項１】
伸縮性を有する生地で作られ体表面に密着して着用され、着用する身体の長手方向に対して所定方向の螺旋形に形成された基準線が設けられ、上記基準線を身体の着用部分の長手方向に対して捻って着用し、これにより生じる捻りと反対方向に生地が戻ろうとする力で体表面に捻り力を与えることを特徴とする被服。
【請求項２】
上記基準線は、上記生地を縫い合わせた縫い目であることを特徴とする請求項１記載の被服。
【請求項３】
上記生地は、上記縫い目から展開すると一方の対角線が他方の対角線よりも長い形状となることを特徴とする請求項２記載の被服。
【請求項４】
上記被服は、上腕部から手首に達して腕に着用するアームサポーターであり、上記基準線は手首の内側から前腕の脇の下側を通過し、肘の角部外側を通過して上腕部の肩側に達する螺旋形に形成され、上記基準線が腕の長手方向に沿うように生地を絞って着用すると、手首が回外に向かう方向に捻り力が与えられることを特徴とする請求項１記載の被服。
【請求項５】
上記被服は、上半身に着用する上着の袖と一体であることを特徴とする請求項１記載の被服。
【請求項６】
上記被服は、腰から足首に達して下半身に着用するスパッツであり、上記基準線は股部から大腿部の後を通過してふくらはぎの外側面を通過し足首の前部分に達する螺旋形に形成され、上記基準線を足の長手方向に沿うように生地を捻って着用することを特徴とする請求項１記載の被服。
【発明の詳細な説明】
【技術分野】
【０００１】
この発明は、各種の運動競技やその他の運動などをするために着用される被服に関する。
【背景技術】
【０００２】
従来、伸縮性を持つ生地を使い、身体に密着して着用される被服に、テーピング技術を応用したものがある。これは、伸縮性を有する生地を使って体に密着する衣服に、強緊締力を有する生地を連続的に裏打ち若しくは切り替え、または部分的に編み組織を変化させることで、筋肉や腱をサポートするものである。このような被服を着用することにより、運動効率を高めたり傷害予防効果を持たせたりすることができる。
【特許文献１】特開平９−２４１９０６号公報
【特許文献２】特開平１１−６１５１６号公報
【発明の開示】
【発明が解決しようとする課題】
【０００３】
上記従来の特許文献１，２に開示されている技術の場合、強緊締力を有する生地を保護部位周辺に配することでサポート機能を有するものであった。そして、強緊締力を有する生地の強い張力で関節などを圧迫して傷害を予防したり、その強い圧迫力の効果により運動効率を高めるものであった。これらは、保護部位を身体表面に対してほぼ直角に力を加えて保護するものである。しかし、保護部位が膝関節や肘関節などの場合には、強緊締力の生地が連続して覆うことで、関節の動きが必要以上に制限され疲労が助長されたり、不快感を増大させたりしていた。また、その製造においては、複数材料が必要かつ縫製工程が複雑であったり、部分的に編地を変える場合は、専用の生地を作る必要があり、いずれも高コストな商品であった。
【０００４】
一方、運動競技において正しいフォームで運動することは、成績の向上だけではなく、故障の防止にも効果がある。正しいフォームで運動するためには、競技者が常にフォームを意識している必要があるが、競技中にこのように意識を維持することは困難である。
【０００５】
本発明は、上記従来の技術の問題点に鑑みてなされたものであり、簡単な構造で、身体表面に身体の長手方向に対して交差する方向に力を加え、着用者の運動フォームを矯正し、傷害を防止する被服を提供することを目的とする。
【課題を解決するための手段】
【０００６】
本発明は、伸縮性を有する生地で作られ体表面に密着して着用され、着用する身体の長手方向に対して所定方向の螺旋形に形成された基準線が設けられている被服である。上記被服を着用し、上記基準線を身体の着用部分の長手方向に対してほぼ平行になるように生地を捻ると、それにより生じる捻りと反対方向に生地が戻ろうとする力で体表面に捻り力による刺激を与え、着用者に意識を持たせて運動フォームを矯正する。上記基準線は、例えば上記生地を縫い合わせた縫い目である。
【０００７】
また、上記生地は上記縫い目から展開すると、一方の対角線が他方の対角線よりも長い形状となる。これにより、上記被服は上記各対角線の方向に伸縮性と緊締力が異なり、フォームを矯正する方向に緊締力を高めるように形成されている。
【０００８】
上記被服は、上腕部から手首に達して腕に着用するアームサポーターであり、上記基準線は手首の内側から前腕の脇の下側を通過し、肘の角部外側を通過して上腕部の肩側に達する螺旋形に形成され、上記基準線が腕の長手方向に沿うように生地を絞って着用すると、手首が回外に向かう方向に捻り力が与えられる。上記アームサポーターは、上半身に着用する上着の袖と一体でもよい。
【０００９】
上記被服は、腰から足首に達して下半身に着用するスパッツであり、上記基準線は股部から大腿部の後を通過してふくらはぎの外側面を通過し足首の前部分に達する螺旋形に形成され、上記基準線を足の長手方向に沿うように生地を捻って着用すると、足が内股に向かう方向に捻り力が与えられる。
【発明の効果】
【００１０】
本発明の被服は、簡単な構造であり、着用後に基準線を捻るようにするだけで、身体表面に身体の長手方向に対して交差する所望の方向へ捻る力を加えることができる。これにより、着用者の運動フォームを矯正し、運動機能の向上や故障の予防等に効果がある。
【発明を実施するための最良の形態】
【００１１】
以下、この発明の実施形態について図面に基づいて説明する。図１、図２はこの発明の第一実施形態を示すもので、この実施形態の被服は右利きの着用者が右手にはめるアームサポーター１０である。アームサポーター１０は、伸縮性を有する編み物等の生地で作られ、身体に密着して着用される。そして、手首から上腕部の途中付近までの腕１１を覆う筒状の本体１２と、本体１２の手首側の端部１２ａに設けられ、手の甲を覆う装着部１４が設けられている。装着部１４は、手首を底辺とし人差し指基端部付近を頂点とする三角形状に形成され、頂点付近には人差し指を通す透孔１６が形成されている。
【００１２】
本体１２には、手首側の端部１２ａに手首の内側に位置する縫い目１８が設けられている。縫い目１８は、本体１２の生地を縫い合わせて作られたものであり、手首の内側から前腕の脇の下側を通過し、肘の角部外側を通過して上腕部の肩側に達する螺旋形に形成され、本体１２の端部１２ａと反対の腕の付け根側の端部１２ｂに連続している。
【００１３】
本体１２を縫い目１８から開くと、図２（ｂ）に示す展開図となる。図２（ｂ）は本体１２の生地表側を見たものである。例えば、腕の長手方向に対して平行な縫い目で形成された従来の筒状のアームサポーター９は、図２（ａ）の展開図のように一対の端部１２ａ，１２ｂが互いにほぼ平行に位置し、端部１２ａ，１２ｂの、反対側の端部同士を結ぶ一対の対角線Ａ１、Ｂ１は、ほぼ等しい長さである。しかし、この実施形態のアームサポーター１０の本体１２は、図２（ｂ）の展開図のように、対角線Ａ２、Ｂ２は長さが異なりＡ２がＢ２よりも短く形成されている。これにより、本体１２を身体に密着させ生地を少し伸ばして着用する場合、Ａ２方向がより伸ばされて緊締力があり、一方Ｂ２方向は伸びが小さく緊締力が弱い。
【００１４】
次に、この実施形態のアームサポーター１０の使用方法について説明する。まず、一般的にテニスエルボー（上腕骨外側上顆炎）は、バックハンドストロークによる手関節伸筋群への過剰な負荷が原因とされ、手関節伸筋群の中で特に図１に示す短橈側手根伸筋Ｔを傷めやすい。即ち、バックハンドストロークでは、ボールがラケットに当たる瞬間には、手関節伸筋群は伸ばされ、打ち返す時には収縮する。そのいずれの場合にも、手関節伸筋群の起始部の腱と筋腱移行部が引っ張られることになり、腱と筋腱移行部に微細断裂を起こして肘の外側に痛みが出る。さらに、バックハンドストロークでは、前腕を少し回内させて手首を固定した状態でボールを打つのが良いフォームである。しかし、前腕が回内することで手関節伸筋群は伸ばされることになるので過度の回内でのバックハンドストロークは手関節伸筋群の起始部の腱と筋腱移行部へのダメージを増大することになる。そこで、過度の回内を抑えるため、このアームサポーター１０は、手首に回外方向へ捻りを与えるように形成されている。
【００１５】
アームサポーター１０を着用するときは、図１（ａ）に示すように本体１２を右の腕１１に通し、右手の人差し指を透孔１６に通し装着部１４で手の甲を覆う。このとき縫い目１８は本体１２の端部１２ａの手首内側から、腕１１の付け根に向かって、前腕の脇の下側を通過し、肘の角部外側を通過して上腕部の肩側に達する螺旋形に形成され、上腕部側の端部１２ｂに達している。
【００１６】
着用後、図１（ｂ）に示すように端部１２ｂを矢印Ｘで示す回外側に回し、縫い目１８を尺骨頭と上腕骨内顆を結ぶ線に平行になるようにする。すると、本体１２が捻れ、上腕部側の端部１２ｂには矢印Ｘと逆の矢印Ｙの方向に戻ろうとする力が生じる。これにより、本体１２の反対側の端部１２ａが、矢印Ｙと逆の矢印Ｚの方向に回ろうとする力が生じる。これにより腕１１の表面には、手首側が回外となる矢印Ｚのほうへ力がかかる。
【００１７】
着用者は、アームサポーター１０を着用してテニスをしているとき、手首に回外の力が加わり意識が回外方向に作用ため、バックハンドストロークの際に手首が過度に回内とならず、わずかに回内させて手首を固定した状態でボールを打つように注意する。これによりフォームが正しくなり、傷害を予防することもできる。また、図１（ｃ）に示すように手首を回内させると、短橈側手根伸筋Ｔが伸びて肘外側の腱を引張る状態となる。そこで、このような過度の回内状態にならないように、手首を外側に回転（回外）させる力を加えることで、腕を保護するとともに着用者の意識を高めてバックハンドストロークの腱への負担を減らす。
【００１８】
特に、アームサポーター１０の本体１２の生地の、図２（ｂ）に示す対角線Ａ２の方向は、着用時に回内方向とほぼ一致し、回内方向に緊締力が大きく、回外方向に対角線Ｂ２が一致し、回外方向に緊締力が小さい。このことから、過度に回内方向に腕を捻ることを防ぐ効果がある。
【００１９】
この実施形態のアームサポーター１０によれば、テニスをしているときに着用するだけで腕や手首に回外方向へ力が加わり、腕や手首を過度な回内状態とならないように意識を高め、バックハンドストロークのフォームを矯正することができる。これにより、腱への負担を減らし、テニスエルボーと呼ばれる傷害の予防効果がある。また、着用後に基準線である縫い目１８を直線になるように生地を捻るだけで、適した力で適した方向に一定の力を与えることができる。生地の捻りにより生じる力を利用するため、強緊締力を有する生地の裏打ちや切り替えなどが不要で、コストが安価であり、また強緊締力を有する生地による関節の運動制限を受けずに、運動のフォームを矯正することができる。アームサポーター１０の生地は一種類使うだけでよく、また縫製工程も少ないので低コストで製造することができる。
【００２０】
次にこの発明の第二実施形態について図３に基づいて説明する。なお、ここで、上記実施形態と同様の部材は同様の符号を付して説明を省略する。この実施形態の被服は、長袖の上着の右袖２０である。右袖２０は、手首から肩の付け根まで腕１１を覆う筒状の本体２２が設けられている。本体２２には、上記第一実施形態のアームサポーター１０と同様の、縫い目１８が設けられている。
【００２１】
右袖２０の本体２２を、縫い目１８から開くと、図３（ｂ）に示す展開図となる。図３（ｂ）は本体２２の生地表側を見たものであり、本体２２の手首側の端部２２ａはほぼ直線に形成され、反対側の端部２２ｂは、肩に沿った曲線で設けられている。例えば、腕の長手方向に対して平行な縫い目で形成された従来の袖１９は、図３（ａ）の展開図のように一対の端部２２ａ，２２ｂの、反対側の端部同士を結ぶ一対の対角線Ｃ１、Ｄ１は、ほぼ等しい長さである。しかし、この実施形態の右袖２０の本体２２は、図３（ｂ）の展開図のように、対角線Ｃ２、Ｄ２は長さが異なり、Ｃ２がＤ２よりも短く形成されている。本体２２を身体に密着させ生地を少し伸ばして着用する場合、Ｃ２方向が大きく伸ばされ緊締力があり、一方Ｄ２方向は伸びが小さく緊締力が弱い。
【００２２】
次に、この実施形態の右袖２０が取り付けられた上着の使用方法について説明する。上着を上半身に着用し、このとき右袖２０の縫い目１８は本体２２の端部２２ａの手首内側から、腕１１の付け根に向かって、前腕の脇の下側を通過し、肘の角部外側を通過して上腕部の肩側に達する螺旋形に形成され、上腕部側の端部２２ｂに達している。
【００２３】
着用後、手首側の端部２２ａを回内側に回し、縫い目１８を腕１１の長手方向と平行になるようにする。すると、本体２２が捻れ、端部２２ａには戻ろうとする力が生じ、これにより手首側が回外の方向に力がかかる。これにより着用者は上着２０を着用してテニスをしているとき、手首に回外の力が加わり意識が回外方向に作用するため、バックハンドストロークのフォームが正しくなり、傷害を予防することができる。また、右袖２０の本体２２の生地の、図３（ｂ）に示す対角線Ｃ２の方向は、着用時に回内方向とほぼ一致し、回内方向に緊締力が大きく、回外方向に対角線Ｄ２が一致し、回外方向に緊締力が小さい。このことからも過度に回内方向に腕や手首を捻ることを防ぐ効果がある。
【００２４】
この実施形態の右袖２０によれば、上記実施の形態のアームサポーター１０と同様の効果があり、上着２０に傷害の予防効果を付与することができる。
【００２５】
次にこの発明の第三実施形態について図４、図５に基づいて説明する。この実施形態の被服は、ウエストラインから足首に達するスパッツ２４である。図４はスパッツ２４を身体後側から見たものであり、身体の左部分を覆う左部材２６と身体の右部分を覆う右部材２８が、身体の中心で縫い目３６により縫い合わされて設けられている。
【００２６】
左部材２６は、ウエストラインに位置する上端部２６ａと、足首に位置する下端部２６ｂが設けられ、上端部２６ａと下端部２６ｂを結ぶ一対の側縁部を互いに縫い合わせて、足３０を入れる筒状の足部３２が設けられている。足部３２には、生地を一対の側縁部を縫い合わせた縫い目３４が形成され、縫い目３４は足３０の付け根内側の股部２６ｃから、大腿部の後を通過してふくらはぎの外側面を通過し、足首の前部分に達する螺旋形に形成され、下端部２６ｂに連続している。
【００２７】
右部材２８は左部材２６と左右対称形に形成され、足部３２には縫い目３４が左部材２６と対称に形成されている。そして左部材２６と右部材は、胴体の中心で前のウエスト部から股部２６ｃを通過して後ろのウエスト部に達する縫い目３６により縫い合わされている。
【００２８】
左部材２６を縫い目３４，３６から開くと、図５（ｂ）に示す展開図となる。図５（ｂ）は左部材２６の生地表側を見たものである。例えば、足の長手方向に対して平行な縫い目で形成される従来のスパッツ２３は、図５（ａ）の展開図のように、上端部２６ａと下端部２６ｂが互いにほぼ平行に位置し、上端部２６ａと下端部２６ｂの両端部に位置する一対の股部２６ｃと、下端部２６ｂの、反対側同士を結ぶ一対の対角線Ｅ１、Ｆ１は、ほぼ等しい長さである。しかし、この実施形態のスパッツ２４の左部材２６は、図５（ｂ）の展開図のように、上端部２６ａと下端部２６ｂの対角線Ｅ２、Ｆ２は、長さが異なり、Ｅ２がＦ２よりも短く形成されている。左部材２６を身体に密着させ生地を少し伸ばして着用する場合、対角線Ｅ２方向の伸びが大きく緊締力があり、一方対角線Ｆ２方向は伸びが小さく緊締力が弱い。
【００２９】
次に、この実施形態のスパッツ２４の使用方法について説明する。まず、一般的に陸上競技において、走者のフォームは、進行方向と同一方向に推進力が働く場合が効率の良い走りとなる。また、体の重心が左右に大きく振れない事も効率の良い走りにつながる。しかし、疲労などで、膝が開いたり、足が外反したりする場合がある。膝がひらくことで、重心の左右への揺れは大きくなる。また、足が外反すると、推進力が進行方向に対して角度を有するため効率が悪くなる。そこで、膝の開きや足の外反を押さえるため、このスパッツ２４は、足の付け根から足首までを内股側に力を与えるように形成されている。
【００３０】
スパッツ２４を着用するときは、図４（ａ）に示すようにスパッツ２４を下半身に着用し、このとき左右一対の縫い目３４は一対の足３０の付け根内側の股部２６ｃ，２８ｃから、大腿部の後を通過してふくらはぎの外側面を通過し、足首の前部分に達する螺旋形に形成され、下端部２６ｂ，２８ｂに連続している。
【００３１】
着用後、図４（ｂ）に示すように端部２６ｂ，２８ｂを矢印Ｖで示す外反方向にまわし、縫い目３４を足３０の後ろ側にほぼ垂直になるようにする。すると、スパッツ２４の足部３２が捻れ、下端部２６ｂ，２８ｂには矢印Ｖと逆の矢印Ｗの方向に戻ろうとする力が生じる。これにより、足３０の表面には、足首側が内股向きとなる矢印Ｗのほうへ力がかかる。着用者は、スパッツ２４を着用して陸上競技をしているとき、足首に内股に向かう力が加わり意識が作用するため、走行や歩行の際に足の裏の長さ方向が進行方向とほぼ平行となるように注意する。これによりフォームが正しくなり、効率が良く、また故障を予防することもできる。
【００３２】
さらに、スパッツ２４の足部３２の生地の、図５（ｂ）に示す対角線Ｅ２の方向は、着用時に外股方向とほぼ一致し、外股方向に緊締力が大きく、内股方向に対角線Ｆ２が一致し、内股方向に緊締力が小さい。このことから膝や足首が外股に開くことを防ぐ効果がある。
【００３３】
この実施形態のスパッツ２４によれば、陸上競技などをしているときに着用するだけで足３０に内股方向へ力が加わり、足が外股に開くことを防ぎ、足裏の長さ方向が進行方向に対してほぼ平行となるように意識を高め、フォームを矯正してスピード効率を向上させることができる。
【００３４】
なお、この発明の被服は、上記各実施形態に限定されるものではなく、アームサポーターや袖、スパッツ以外に種々の被服に用いて、所望の角度の力を得ることができる。スポーツ用被服以外に歩行訓練用等にも使用することができる。基準線は縫い目以外に印刷等で設けても良い。基準線の角度や長さは、所望の力の角度や強さに合わせて自由に設定可能である。
【図面の簡単な説明】
【００３５】
【図１】この発明の第一実施形態の被服であるアームサポーターを着用した状態を示す正面図（ａ）と、アームサポーターの縫い目を直線にした状態を示す正面図（ｂ）と、腕を回内した状態を示す正面図（ｃ）である。
【図２】この実施形態のアームサポーターの展開図である。
【図３】この発明の第二実施形態の被服である上着の右袖の展開図である。
【図４】この発明の第三実施形態の被服であるスパッツを着用した状態を示す背面図（ａ）と、スパッツの縫い目を直線にした状態を示す背面図（ｂ）である。
【図５】この発明の第三実施形態のスパッツの展開図である。
【符号の説明】
【００３６】
１０  アームサポーター
１２  本体
１４  装着部
１８  縫い目
【図１】
2006057207.tif 000003
【図２】
2006057207.tif 000004
【図３】
2006057207.tif 000005
【図４】
2006057207.tif 000006
【図５】
2006057207.tif 000007